(57)【要約】【課題】フラップ同士を係合させる簡易封緘箱において、運搬時のフラップの破れや係合の外れによるトラブルを防止する。【解決手段】側壁１から延出した側フラップ４と、端壁２から延出した端フラップ５とを係合させて封緘する簡易封緘箱において、対向する側フラップ４に抱込部１４を設け、端フラップ５の先端に折返板１０を連設して、その両側から抜止片１１を延出し、抜止片１１を折り曲げつつ、折返板１０を端フラップ５の基端側へ折り返して、端フラップ５と折返板１０とで抱込部１４を抱き込み、抜止片１１の折り曲げを戻すと、折返板１０が対向する側フラップ４の間から抜け止めされるようにする。【選択図】  図４
2004352354.tif 000002
【特許請求の範囲】
【請求項１】
側壁１から延出した側フラップ４と、端壁２から延出した端フラップ５とを係合させて封緘する簡易封緘箱において、対向する側フラップ４に抱込部１４を設け、端フラップ５の先端に折返板１０を連設して、その両側から抜止片１１を延出し、抜止片１１を折り曲げつつ、折返板１０を端フラップ５の基端側へ折り返して、端フラップ５と折返板１０とで抱込部１４を抱き込み、抜止片１１の折り曲げを戻すと、折返板１０が対向する側フラップ４の間から抜け止めされるようにしたことを特徴とする簡易封緘箱。
【請求項２】
前記抱込部１４を、側フラップ４に先端縁から切込８を入れて形成し、この切込８に折返板１０を折り重ねた抜止片１１と共に差し込むようにしたことを特徴とする請求項１に記載の簡易封緘箱。
【請求項３】
前記側フラップ４の切込８をＬ字状として、その内側に抑制片９を形成し、折返板１０を側フラップ４の切込８に差し込むと、折返板１０が抑制片９で押圧されて端フラップ５の基端側へ倒伏するようにしたことを特徴とする請求項２に記載の簡易封緘箱。
【発明の詳細な説明】
【０００１】
【発明の属する技術分野】
この発明は、フラップ同士の係合により封緘する厚紙製の簡易封緘箱に関するものである。
【０００２】
【従来の技術】
例えば、ネギを出荷する際には、図１３に示すように、側壁５１及び端壁５２からそれぞれ延出した短い側フラップ５３と端フラップ５４とを係合させて封緘する段ボール箱が使用されている。この封緘に際しては、端フラップ５４の先端両側に入れた切込５５に、側フラップ５３に形成した肩部５６を差し込む。
【０００３】
【発明が解決しようとする課題】
ところで、上記段ボール箱は、市場や流通過程において、端フラップ５４の先端縁に手を掛けて、ぶら下げるように持ち運ばれることが多く、その場合、端フラップ５４が撓んで側フラップ５３との係合が外れたり、端フラップ５４が切込５５から破れたりする恐れがある。
【０００４】
そこで、この発明は、フラップ同士を係合させて封緘する箱において、運搬時におけるフラップの破れや係合の外れを防止することを課題とする。
【０００５】
【課題を解決するための手段】
上記課題を解決するため、この発明は、対向する側フラップに抱込部を設け、端フラップの先端に折返板を連設して、その両側から抜止片を延出し、抜止片を折り曲げつつ、折返板を端フラップの基端側へ折り返して、端フラップと折返板とで抱込部を抱き込み、抜止片の折り曲げを戻すと、折返板が対向する側フラップの間から抜け止めされるようにしたのである。
【０００６】
この簡易封緘箱では、端フラップの先端部が折返板で補強されて、側フラップの抱込部を抱き込むので、端フラップの先端に指を掛けて運搬しても、端フラップが裂けにくくなり、抜止片の復元により、折返板が対向する側フラップの間から抜け止めされるので、両フラップの係合が外れることもない。
【０００７】
また、前記抱込部を、側フラップに先端縁から切込を入れて形成し、この切込に折返板を折り重ねた抜止片と共に差し込むようにすると、折返片の抜け出しがより確実に防止され、優れた封緘性が得られる。
【０００８】
また、前記側フラップの切込をＬ字状として、その内側に抑制片を形成し、折返板を側フラップの切込へ差し込むと、折返板が抑制片で押圧されて端フラップの基端側へ倒伏し、折返板の反発が抑制されるようにすれば、物品の収納が容易になり、簡単かつ確実に封緘できるようになる。
【０００９】
【発明の実施の形態】
まず、この発明の第１実施形態として、ネギの運搬に使用する段ボール箱について、図１乃至図４に基づいて説明する。
【００１０】
図１に示すブランクでは、各一対の側壁１及び端壁２が交互に連設され、一方の側壁１の外側縁には継代３が連設されている。側壁１及び端壁２の上縁には短い側フラップ４及び端フラップ５がそれぞれ連設され、側壁１及び端壁２の下縁には封止板６，７がそれぞれ連設されている。
【００１１】
側フラップ４の両側部には、先端縁から突出する抱込部１４が設けられ、側フラップ４はコ字状となってる。端フラップ５の先端には、切目間の繋ぎを介して折返板１０が連設され、その両側には抜止片１１が連設されている。また、封止板６，７には、それぞれ切込１２，１３が入れられている。
【００１２】
上記ブランクを組み立てるには、図２に示すように、各一対の側壁１及び端壁２を角筒状に折り曲げ、継代３を反対側の端壁２に貼り付けて周壁を形成し、一対の側フラップ４を内側へ折り曲げ、抜止片１１を内方向又は外方向へ折り曲げつつ、折返板１０を対向する側フラップ４の間に押し込む。
【００１３】
次に、図３に示すように、箱の天地を逆転させ、抜止片１１の折り曲げを戻すと、抜止片１１により折返板１０が対向する側フラップ４の間から抜け止めされて、側フラップ４と端フラップ５とが係合し、下方の天面側が中央部に隙間を残した状態で封緘される。
【００１４】
そして、この状態で箱内にネギを挿入すると、ネギは対向する端フラップ５の隙間よりも長いので、中央部の隙間から落下することなく、側フラップ４及び端フラップ５に支持され、ネギの重量により折返板１０が倒伏状態に保持されて、側フラップ４と端フラップ５とが完全にロックされる。
【００１５】
その後、封止板６，７を閉じて、封止板７を罫線沿いに折り曲げつつ、切込１２，１３の差込により封止板６，７を係合させて、上方へ向いた底面を封緘し、図４に示すように、天地を元に戻すと、ネギの出荷準備が完了する。
【００１６】
このように封緘した段ボール箱では、端フラップ５の先端部が折返板１０により補強されて、側フラップ４の抱込部１４を抱き込むので、端フラップ５の先端に指を掛けて運搬しても、端フラップ５が裂けにくくなる。
【００１７】
また、抜止片１１により折返板１０が対向する側フラップ４の間から抜け止めされているので、側フラップ４と端フラップ５の係合が外れることもなく、市場での運搬中に封緘が解けてネギをばら撒く事態が防止される。
【００１８】
さらに、折返板１０の先端を端壁２の内面に当接させることにより、箱の形状が安定し、剛性が向上するので、運搬時に端部を掴んだ状態で収納物の荷重が作用しても、箱の外形が変形しにくくなり、側フラップ４も破れにくくなる。
【００１９】
次に、この発明の第２実施形態として、上記第１実施形態の変形例を、図５乃至図８に基づいて説明する。なお、ここでは、上記第１実施形態との相違点を中心に述べることとする。
【００２０】
この段ボール箱のブランクでは、図５に示すように、側フラップ４に、両側部の先端縁からＬ字状の切込８が入れられ、その外側に抱込部１４が、内側に抑制片９が形成されている。
【００２１】
このブランクを組み立てる際には、図６に示すように、、折返板１０に抜止片１１を折り重ね、これらを共に側フラップ４の切込８に差し込む。
【００２２】
このように折返板１０を差し込むと、図７に示すように、折返板１０は抑制片９で押圧されて、端フラップ５の基端側へ倒伏すると共に、抜止片１１が反発で復元し、折返板１０が切込８から抜け止めされる。
【００２３】
この状態では、折返板１０の反発が抑制片９で抑制されているので、ネギを容易に収納できる。
【００２４】
そして、封止板６，７を閉じて係合させ、図８に示すように、天地を元に戻すと、ネギの出荷準備が完了する。
【００２５】
このように封緘した段ボール箱では、上記第１実施形態のものと同様に、端フラップ５の先端に指を掛けて運搬しても、端フラップ５が裂けにくく、切込８から折返板１０が確実に抜け止めされるので、優れた封緘性が得られる。
【００２６】
次に、この発明の第３実施形態として、一般的な物品を運搬する段ボール箱について、図９乃至図１２に基づき、上記実施形態との相違点を中心に説明する。
【００２７】
この段ボール箱は、図９のブランクに示すように、側フラップ４と端フラップ５との係合による封緘構造を箱の底面に適用したものであり、側壁１及び端壁２の下縁には、底面を完全に閉止できる長さを有する側フラップ４及び端フラップ５が、上縁には封止板６，７がそれぞれ連設されている。
【００２８】
上記ブランクを組み立てるには、図１０に示すように、天地を逆転して各一対の側壁１及び端壁２を角筒状に折り曲げ、継代３を反対側の端壁２に貼り付けて周壁を形成し、一対の側フラップ４を内側へ折り曲げ、折返板１０を折り重ねた抜止片１１と共に側フラップ４の切込８に差し込む。
【００２９】
次に、図１１に示すように、箱の天地を元に戻し、抜止片１１の折り曲げを戻すと、折返板１０が切込８から抜け止めされて、側フラップ４と端フラップ５とが係合し、底面が封緘される。
【００３０】
この状態では、折返板１０が抑制片９で押圧されて、端フラップ５の基端側へ倒伏し、その反発が抑制片９で抑制されているので、箱内に物品を容易に収納でき、物品の重量で折返板１０が倒伏状態に保持されて、側フラップ４と端フラップ５とが完全にロックされる。
【００３１】
その後、図１２に示すように、封止板６，７を閉じて、封止板７を罫線沿いに折り曲げつつ、切込１２，１３の差込により封止板６，７を係合させると、粘着テープや接着剤を使用することなく封緘して、様々な物品の運搬に使用することができ、重量物を収納しても底抜けすることがない。
【００３２】
また、折返板１０の先端を端壁２の内面に当接させることにより、箱の形状が安定し、剛性が向上するので、運搬時に偏った荷重が作用しても、箱の外形が変形しにくくなり、側フラップ４も破れにくくなる。
【００３３】
なお、上記第１乃至第３の各実施形態に示した段ボール箱のブランクは、通常の溝切り形段ボール箱と同様に、罫線を入れ、溝を切った後、部分的な型で切目を入れて製造できるので、全体を型で打ち抜くものよりも低コストで製造でき、安価に供給することができる。
【００３４】
【発明の効果】
以上のように、この発明に係る簡易封緘箱では、端フラップの先端部が折返板で補強されて側フラップを抱き込むので、端フラップが裂けにくくなり、折返板が対向する側フラップの間から抜止片により抜け止めされているので、両フラップの係合が確実に維持され、収納物を安全に運搬することができる。
【図面の簡単な説明】
【図１】この発明に係る簡易封緘箱の第１実施形態のブランクを示す図
【図２】同上の封緘過程を示す斜視図
【図３】同上の天地逆転状態での封緘過程を示す斜視図
【図４】同上の天地を戻した封緘状態を示す斜視図
【図５】この発明に係る簡易封緘箱の第２実施形態のブランクを示す図
【図６】同上の封緘過程を示す斜視図
【図７】同上の天地逆転状態での封緘過程を示す斜視図
【図８】同上の天地を戻した封緘状態を示す斜視図
【図９】この発明に係る簡易封緘箱の第３実施形態のブランクを示す図
【図１０】同上の天地逆転状態での封緘過程を示す斜視図
【図１１】同上の天地を戻した封緘過程を示す斜視図
【図１２】同上の封緘状態を示す斜視図
【図１３】従来の簡易封緘箱の封緘状態を示す斜視図
【符号の説明】
１  側壁
２  端壁
４  側フラップ
５  端フラップ
８  切込
９  抑制片
１０  折返板
１１  抜止片
１４  抱込部
【図１】
2004352354.tif 000003
【図２】
2004352354.tif 000004
【図３】
2004352354.tif 000005
【図４】
2004352354.tif 000006
【図５】
2004352354.tif 000007
【図６】
2004352354.tif 000008
【図７】
2004352354.tif 000009
【図８】
2004352354.tif 000010
【図９】
2004352354.tif 000011
【図１０】
2004352354.tif 000012
【図１１】
2004352354.tif 000013
【図１２】
2004352354.tif 000014
【図１３】
2004352354.tif 000015